(57)【要約】【課題】ディスプレイや紙など物の表面に表現されている情報を媒体へ転記する。【解決手段】転記装置は、画像を撮像するデジタルカメラ２１０と、デジタルカメラ２１０により撮像された画像を解析して、画像から数字または文字を検出する画像処理部３１０と、画像処理部３１０により検出された数字または文字を所定の媒体上に記載する印刷部２３０と、を備える。【選択図】図３
2017091034.tif 000002
【特許請求の範囲】
【請求項１】
画像を撮像する撮像手段と、
前記撮像手段により撮像された画像を解析して、前記画像から数字または文字を検出する画像処理手段と、
前記画像処理手段により検出された数字または文字を所定の媒体上に記載する記載手段と、を備えた転記装置。
【請求項２】
前記撮像手段、前記画像処理手段及び前記記載手段を収容した筐体をさらに備え、
前記筐体は、
前記撮像手段の集光部を露出させる第１の開口部と、
前記記載手段が備える数字または文字を記載するためのヘッドを露出させる第２の開口部と、を備える請求項１記載の転記装置。
【請求項３】
前記筐体は、さらに、
前記第１の開口部と前記第２開口部との間に設けられた把持部を備える請求項２記載の転記装置。
【請求項４】
前記画像処理手段は、前記撮像手段により撮像された画像に含まれる数字または文字を認識し、
前記記載手段は、前記画像処理手段により認識された数字または文字を前記所定の媒体上に形成する、請求項１〜３のいずれかに記載の転記装置。
【請求項５】
前記画像処理手段は、前記撮像手段により撮像された画像に含まれる数字または文字を強調した印刷画像を生成し、
前記記載手段は、前記印刷画像を前記所定の媒体上に印刷する、請求項１〜３のいずれかに記載の転記装置。
【請求項６】
前記数字または文字を記載するための前記媒体上の領域を検出する検出手段をさらに備え、
前記記載手段は、前記検出手段により検出された領域に、その領域に応じた大きさまたは配置で前記数字または文字を記載する、請求項１〜５のいずれかに記載の転記装置。
【請求項７】
前記記載手段はプリンタである、請求項１〜６のいずれかに記載の転記装置。
【請求項８】
前記記載手段はスタンパである、請求項１〜６のいずれかに記載の転記装置。
【請求項９】
話者の音声の入力を受け付けるマイクと、
前記マイクが受け付けた音声に基づいて、前記話者が発話した数字または文字を認識する音声認識手段と、
前記音声認識手段によって認識された数字または文字を所定の媒体上に記載する記載手段と、を備えた転記装置。
【請求項１０】
前記マイク、前記音声認識手段及び前記記載手段を収容した筐体をさらに備え、
前記筐体は、
前記マイクが集音するための孔と、
前記記載手段が備える数字または文字を記載するためのヘッドを露出させる開口部と、を備える請求項９記載の転記装置。
【請求項１１】
前記筐体は、さらに
前記集音するための孔と前記開口部との間に設けられた把持部を備える請求項１０記載の転記装置。
【請求項１２】
前記音声認識手段により認識された数字を表示する表示手段をさらに備える、請求項９〜１１のいずれかに記載の転記装置。
【請求項１３】
デジタルカメラと、
前記デジタルカメラにより撮像された画像を解析して、前記画像から数字または文字を検出する画像処理手段と、をさらに備え、
前記記載手段は、前記音声認識手段による認識結果と前記画像処理手段による認識結果とが一致したときに前記数字または文字を記載する、請求項９〜１２のいずれかに記載の転記装置。
【請求項１４】
数字を入力するためのテンキーと、
前記テンキーにより入力された数字を所定の媒体上に形成する数字形成手段と、
前記テンキー及び前記数字形成手段を収容した単一の筐体と、を備えた数字形成装置。
【請求項１５】
デジタルカメラと、
前記デジタルカメラにより撮像された画像を解析して、前記画像から数字を検出する画像処理手段と、をさらに備え、
前記数字形成手段は、前記テンキーにより入力された数字と前記画像処理手段による認識結果とが一致したときに前記数字を形成する、請求項１４に記載の数字形成装置。
【請求項１６】
入力を受け付ける入力手段と、
前記入力手段が受け付けた入力に応じた数字を所定の媒体上に形成する数字形成手段と、
前記入力手段及び前記数字形成手段を収容した単一の筐体と、を備え、
前記筐体は、片手で把持され得るサイズを有するハンディターミナル。
【発明の詳細な説明】
【技術分野】
【０００１】
本発明は、数字または文字を転記する技術に関する。
【背景技術】
【０００２】
近年、コンピュータ機器及びネットワーク技術の進展がめざましく、一旦いずれかのコンピュータに取り込まれた情報は人手を介さなくても簡単に他のコンピュータ機器へ移動させることができる。そのため、ビジネスにおいては重複するデータ入力の削減が可能となり、多くの業務について効率が上がっている。
【０００３】
一方で、ネットワークに接続する機器が増えて利便性が向上すると、それに応じて情報漏洩リスクも高まる。そのため、利便性を犠牲にすることがあっても、セキュリティを確保する目的で、重要な情報が登録されているコンピュータをネットワークに接続しない場合もある。特に、企業の機密情報の漏洩が深刻な問題となり、かつ個人情報保護を強化する昨今では、保護対象の情報が保持されている端末装置に外部機器の接続インタフェースを設けず、かつ、設けられる出力装置はディスプレイのみに制限される傾向がある。
【発明の概要】
【発明が解決しようとする課題】
【０００４】
特に、その端末装置が外部機器とのインタフェースを持たず、プリンタを備えていない場合は、その端末装置内の情報を紙などの媒体へ記録しようとすれば、ディスプレイに表示された情報を人間が読み取ってその媒体へ転記する必要がある。これでは、作業効率が低下するとともに、一定の確率でミスが生じると考えられる。
【０００５】
そこで、本発明の目的は、ディスプレイや紙など物の表面に表現されている情報を効率的に媒体へ転記する技術を提供することである。
【０００６】
そこで、本発明の別の目的は、ディスプレイや紙など物の表面に表現されている情報を正確に媒体へ転記する技術を提供することである。
【課題を解決するための手段】
【０００７】
本発明の一つの実施態様に従う転記装置は、画像を撮像する撮像手段と、前記撮像手段により撮像された画像を解析して、前記画像から数字または文字を検出する画像処理手段と、前記画像処理手段により検出された数字または文字を所定の媒体上に記載する記載手段と、を備えてもよい。
【０００８】
好適な実施態様では、前記撮像手段、前記画像処理手段及び前記記載手段を収容した筐体をさらに備えてもよい。前記筐体は、前記撮像手段の集光部を露出させる第１の開口部と、前記記載手段が備える数字または文字を記載するためのヘッドを露出させる第２の開口部と、を備えてもよい。
【０００９】
好適な実施態様では、前記筐体は、さらに、前記第１の開口部と前記第２開口部との間に設けられた把持部を備えてもよい。
【００１０】
好適な実施態様では、前記画像処理手段は、前記撮像手段により撮像された画像に含まれる数字または文字を認識し、前記記載手段は、前記画像処理手段により認識された数字または文字を前記所定の媒体上に形成してもよい。
【００１１】
好適な実施態様では、前記画像処理手段は、前記撮像手段により撮像された画像に含まれる数字または文字を強調した印刷画像を生成し、前記記載手段は、前記印刷画像を前記所定の媒体上に印刷してもよい。
【００１２】
好適な実施態様では、前記数字または文字を記載するための前記媒体上の領域を検出する検出手段をさらに備え、前記記載手段は、前記検出手段により検出された領域に、その領域に応じた大きさまたは配置で前記数字または文字を記載するようにしてもよい。
【００１３】
好適な実施態様では、前記記載手段はプリンタであってもよい。
【００１４】
好適な実施態様では、前記記載手段はスタンパであってもよい。
【００１５】
本発明の別の一つの実施態様に従う転記装置は、話者の音声の入力を受け付けるマイクと、前記マイクが受け付けた音声に基づいて、前記話者が発話した数字または文字を認識する音声認識手段と、前記音声認識手段によって認識された数字または文字を所定の媒体上に記載する記載手段と、を備えてもよい。
【００１６】
好適な実施態様では、前記マイク、前記音声認識手段及び前記記載手段を収容した筐体をさらに備え、前記筐体は、前記マイクが集音するための孔と、前記記載手段が備える数字または文字を記載するためのヘッドを露出させる開口部と、を備えてもよい。
【００１７】
好適な実施態様では、前記筐体は、さらに前記集音するための孔と前記開口部との間に設けられた把持部を備えてもよい。
【００１８】
好適な実施態様では、前記音声認識手段により認識された数字を表示する表示手段をさらに備えてもよい。
【００１９】
好適な実施形態では、デジタルカメラと、前記デジタルカメラにより撮像された画像を解析して、前記画像から数字または文字を検出する画像処理手段と、をさらに備え、前記記載手段は、前記音声認識手段による認識結果と前記画像処理手段による認識結果とが一致したときに前記数字または文字を記載するようにしてもよい。
【００２０】
本発明のさらに別の一つの実施形態に従う数字形成装置は、数字を入力するためのテンキーと、前記テンキーにより入力された数字を所定の媒体上に形成する数字形成手段と、前記テンキー及び前記数字形成手段を収容した単一の筐体と、を備えてもよい。
【００２１】
好適な実施態様では、デジタルカメラと、前記デジタルカメラにより撮像された画像を解析して、前記画像から数字を検出する画像処理手段と、をさらに備え、前記数字形成手段は、前記テンキーにより入力された数字と前記画像処理手段による認識結果とが一致したときに前記数字を形成するようにしてもよい。
【００２２】
本発明のさらに別の一つの実施態様に従うハンディーターミナルは、入力を受け付ける入力手段と、前記入力手段が受け付けた入力に応じた数字を所定の媒体上に形成する数字形成手段と、前記入力手段及び前記数字形成手段を収容した単一の筐体と、を備えていてもよい。前記筐体は、片手で把持され得るサイズを有していてもよい。
【図面の簡単な説明】
【００２３】
【図１】本発明の第１の実施形態に係る端末装置１の外観図である。
【図２】本発明の第１の実施形態に係る端末装置１の外観図である。
【図３】本発明の第１の実施形態に係る端末装置１の機能構成図である。
【図４】本発明の第２の実施形態に係る端末装置２の外観図である。
【図５】本発明の第２実施形態に係る端末装置２の機能構成図である。
【図６】第１及び第２の実施形態の変形の態様を示す。
【図７】本発明の第３の実施形態に係る端末装置３の外観図である。
【図８】本発明の第３実施形態に係る端末装置３の機能構成図である。
【図９】第４の実施形態にかかる文字列等の確認検証システムの構成図である。
【図１０】第４の実施形態にかかる文字列等の確認検証装置本体の機能構成図である。
【図１１】本システムが行う処理手順を示すフローチャートである。
【発明を実施するための形態】
【００２４】
以下、本発明の第１の実施形態に係る端末装置について、図面を参照して説明する。
【００２５】
第１の実施形態に係る端末装置は、画像を撮像する撮像手段（デジタルカメラ）と、撮像手段により撮像された画像を解析して、その画像から数字または文字を検出する画像処理手段（画像処理部）と、画像処理手段により検出された数字または文字を所定の媒体上に記載する記載手段（印刷部）と、を備えてもよい。この端末装置は、さらに、撮像手段、画像処理手段及び記載手段を収容した筐体を備えてもよい。筐体は、撮像手段の集光部（レンズ）を露出させる第１の開口部と、記載手段が備える数字または文字を記載するためのヘッドを露出させる第２の開口部と、第１の開口部と第２開口部との間に設けられた把持部と、を備えてもよい。
【００２６】
図１及び図２は、本発明の第１の実施形態に係る端末装置１の外観図である。
【００２７】
図３は、本発明の第１の実施形態に係る端末装置１の機能構成図である。
【００２８】
図１〜図３を参照して、第１の実施形態に係る端末装置１について説明する。端末装置１は、筐体１０を有する。端末装置１は、筐体１０の中にデジタルカメラ２１０と、印刷部２３０（２３０Ａ，２３０Ｂ）と、制御部３００とを収容する。
【００２９】
図１に示すように、筐体１０は柱状あるいは棒状であってもよく、上部正面１１にはデジタルカメラ２１０のレンズ２１１を露出させるための開口部２１３が設けられていてもよい。筐体１０の胴体の中央当たりが把持部１２となっていてもよい。把持部１２のやや上の左側面にはボタン２５０が設けられている。ボタン２５０は、デジタルカメラ２１０のシャッターとして機能してもよい。筐体１０の背面１３の把持部１２のやや上には表示部２７０が露出していてもよい。
【００３０】
図２は、筐体１０の底面１４を示す図である。筐体１０の底面１４には開口部１４１が設けられている。開口部１４１には印刷部２３０が露出している。端末装置１は、印刷部２３０を用いて紙などの所定の媒体上に文字、数字、記号または画像などを形成できる。第１の実施形態では、印刷部２３０として、例えば図２（Ａ）と図２（Ｂ）の二つの態様のいずれかを採用することができる。但し、印刷部２３０はこれらの態様に限定されない。
【００３１】
図２Ａは印刷部２３０がプリンタ（例えばインクジェットプリンタ）２３０Ａである例を示す。開口部１４１からは、キャリッジ２４１に搭載されたプリンタの印刷ヘッド２４２が露出している。図２Ｂは、印刷部２３０がスタンパ２３０Ｂである例を示す。開口部１４１からは、スタンパ２３０Ｂが数字を形成するスタンプヘッド２４６が露出している。
【００３２】
図２Ａの場合、筐体１０の底面１４が紙などの印刷媒体と向き合っているときに、キャリッジ２４１がレール２４３上を移動しながら、印刷ヘッド２４２がインクを吐出して印刷媒体上に数字、文字、記号あるいは画像などを形成する。
【００３３】
キャリッジ２４１はさらに、数字または文字を記載するための印刷媒体上の領域を検出するセンサ（検出手段）２４４を備えてもよい。センサ２４４は、例えば、発光部と受光部を備えてもよい。発光部が発光した光が印刷媒体で反射し、その反射光を受光部が捉えるようにしてもよい。これにより、例えば、印刷媒体上に記載されている印刷エリアを示す枠を検出するようにしてもよい。
【００３４】
図２Ｂの場合、スタンパ２３０Ｂは、予め定められた任意の桁数の数字または文字をスタンプ可能になっている。この例では、スタンプヘッド２４６は７つのヘッドユニット２４７を有する。つまり、本実施形態ではスタンパ２３０Ｂは７桁の数字または文字を印字可能である。各ヘッドユニット２４７は７本のバーで構成されていてもよい。各バーにはインクが供給される。各バーは底面１４に対して垂直な方向へ前進及び後退が可能なように構成されている。各ヘッドユニット２４７は、これらの７本のバーを使って０〜９までの一つの数字を表現できるようになっている。制御部３００がスタンプしたい数字に応じて、各ヘッドユニット２４７のそれぞれのバーの出し入れを行う。これにより、所定桁数以下の所望の数字が印刷媒体へスタンプされる。スタンパ２３０Ｂは、プリンタ２３０Ａの場合と同様にセンサを備えていてもよい。
【００３５】
また、スタンプヘッド２４６は、上述のようなバーで構成されるヘッドユニットではなく、それぞれが前進及び後退可能なドットのマトリックスで構成されていてもよい。各ドットにはインクが供給される。この場合、制御部３００がドットを出し入れさせて、所望の数字または文字を構成するようにしてもよい。
【００３６】
これら以外に、各桁の数字が独立に回転するダイヤル式のスタンプヘッド２４６でもよい。この場合、制御部３００がダイヤルを制御して所定桁数以下の所望の数字をスタンプするようにしてもよい。
【００３７】
次に図３を参照すると、端末装置１は制御部３００を有し、制御部３００はさらに画像処理部３１０とメモリ３３０とを有する。
【００３８】
デジタルカメラ２１０により撮像された画像の画像データがメモリ３３０に保存される。メモリ３３０に保存できる画像データの容量（画像の枚数）は予め定められていてもよい。例えば、メモリ３３０には画像１枚分の画像データのみが保存可能である場合は、新たな画像のデータをメモリ３３０に保存する際、その時点でメモリ３３０に保存されている画像データが上書きで消去されるようにしてもよい。あるいは、メモリ３３０に保存されて得る画像データに基づいて印刷部２３０が印刷を完了した時点で、制御部３００がメモリ３３０に保存されている画像データを消去してもよい。メモリ３３０に保存可能な画像データの上限枚数が２枚以上であるときは、メモリ３３０に保存された時刻が最も早い画像データから順に上書きで消去されるようにしもよい（Ｆｉｒｓｔ−Ｉｎ−Ｆｉｒｓｔ−Ｏｕｔ）。この場合にも、メモリ３３０に保存されて得る画像データに基づく印刷部２３０による印刷処理が完了した時点で、制御部３００がメモリ３３０に保存されている画像データを消去してもよい。
【００３９】
画像処理部３１０は、デジタルカメラ２１０により撮像された画像を解析して、その画像から数字、文字及び／または記号を検出してもよい。例えば、画像処理部３１０は、メモリ３３０に保存された画像データに基づいて、撮像された画像に映っている数字、文字及び／または記号を認識してもよい。画像には、バーコード（１次元、２次元）などのようにコード化された情報のシンボルが映っている場合、画像処理部３１０は、その画像のシンボルを解析し、所定のアルゴリズムに従ってデコードした情報（数字または文字等）を取り出してもよい。画像処理部３１０において認識された数字等は表示部２７０に表示されてもよい。また、画像処理部３１０において認識された数字等を示すデータは、メモリ３３０に保存されるようにしてもよい。
【００４０】
あるいは、画像処理部３１０は、メモリ３３０に保存された画像データを処理して、撮像された画像に映っている数字、文字及び／または記号を強調した印刷用画像を生成してもよい。例えば、画像処理部３１０は、エッジ抽出などの所定のアルゴリズムを用いて画像解析を行い、数字、文字及び／または記号の領域を抽出する。そして、画像処理部３１０は、背景と抽出された領域とが区別された２値化画像を生成してもよい。印刷用画像は表示部２７０に表示されてもよい。
【００４１】
印刷部２３０は、画像処理部３１０により認識された数字または文字を所定の媒体上に形成してもよい。例えば、画像処理部３１０がプリンタ２３０Ａまたはスタンパ２３０Ｂを制御して、画像処理部３１０が検出した数字、文字及び／または記号を印刷媒体に記載してもよい。あるいは、プリンタ２３０Ａは、画像処理部３１０により生成された印刷用画像を所定の媒体上に形成してもよい。
【００４２】
さらには、印刷部２３０は、センサ２４４により検出された領域に、その領域に応じた大きさまたは配置で数字または文字を記載してもよい。例えば、所定の基準領域のサイズと、その領域へ印刷する場合の文字サイズ及び字間などを定めておき、制御部３００が、センサ２４４が検出された印刷領域のサイズと所定の基準領域のサイズとを比較し、検出された印刷領域に適合するように印字する数字または文字のサイズを変化させてもよいし、字間を調整してもよい。
【００４３】
第１の実施形態に係る端末装置１は、例えばハンディーターミナルとして以下のようにして使用されことも可能である。すなわち、ユーザが把持部１２を手で握り、デジタルカメラ２１０のレンズ２１１を被写体へ向け、表示部２７０に表示された画像を確認した後に撮影する。被写体は、例えば、ディスプレイ、紙面などの平面上、あるいは略平面上に表示されている文字、数字及び／または記号、あるいは画像などであってもよい。そして、画像処理部３１０が撮影された画像に基づいて上述のような処理を行う。画像処理部３１０が認識した数字等または印刷用画面は表示部２７０に表示されるようにしてもよい。そして、ユーザが筐体１０の底面１４が所定の媒体と向かい合うように端末装置１を配置した後、印刷部２３０が文字、数字及び／または記号を所定の媒体上に記載するようにしてもよい。つまり、端末装置１は文字、数字及び／または記号を転記する装置としても機能する。
【００４４】
本実施形態の端末装置によれば、転記したい文字、数字等を写真で撮影するだけで容易に転記することができる。
【００４５】
次に、本発明の第２の実施形態に係る端末装置について、図面を参照して説明する。
【００４６】
第２の実施形態に係る端末装置は、話者の音声の入力を受け付けるマイクと、マイクが受け付けた音声に基づいて、話者が発話した数字または文字を認識する音声認識手段（音声処理部）と、その音声認識手段によって認識された数字または文字を所定の媒体上に記載する記載手段（印刷部）と、を備えてもよい。この端末装置は、マイク、音声認識手段及び記載手段を収容した筐体をさらに備えてもよい。この筐体は、マイクが集音するための孔と、記載手段が備える数字または文字を記載するためのヘッドを露出させる開口部と、集音するための孔と開口部との間に設けられた把持部と、を備えてもよい。この端末装置は、音声認識手段により認識された数字を表示する表示手段（表示部）をさらに備えてもよい。この端末装置は、デジタルカメラと、デジタルカメラにより撮像された画像を解析して、画像から数字または文字を検出する画像処理手段（画像処理部）と、をさらに備えてもよい。そして、記載手段は、音声認識手段による認識結果と画像処理手段による認識結果とが一致したときに数字または文字を記載するようにしてもよい。
【００４７】
図４は、本発明の第２の実施形態に係る端末装置２の外観図である。
【００４８】
図５は、本発明の第２実施形態に係る端末装置２の機能構成図である。
【００４９】
図４及び図５を参照して、第２の実施形態に係る端末装置２について説明する。第１の実施形態と共通の構成及び機能については同一の符号を付して説明を省略する場合がある。
【００５０】
端末装置２は、筐体２０を有する。端末装置２は、筐体２０の中にマイク４１と、印刷部２３０と、制御部５０とを収容する。さらに、筐体２０には、デジタルカメラ２１０が収容されていてもよい。
【００５１】
図４に示すように、筐体２０は柱状あるいは棒状であってもよく、筐体２０の胴体の中央当たりが把持部２２となっていてもよい。筐体２０の上部には、マイク２１の集音孔４１１が設けられている。これ以外に、筐体２０から突出した指示棒の先端にマイクの集音部が設けられている形態でもよい。筐体２０の表面には音声認識の結果を表示する表示部２７０があってもよい。第１の実施形態と同様に、筐体２０内の下方に印刷部２３０が配置されている。第１の実施形態と同様に、筐体２０の底面に印刷部２３０のヘッドが露出している。
【００５２】
マイク４１は、話者の音声を入力として受け付ける。マイク４１が受け付けた音声に係る音声データはメモリ３３０に保存される。音声処理部５１０は、メモリ３３０に保存されている音声データに基づいて、話者が発音した言葉（文字または数字）を認識する。認識結果は、認識された文字または数字を示すデータとしてメモリ３３０に保存される。認識された文字または数字は表示部２７０に表示されるようにしてもよい。
【００５３】
印刷部２３０は、音声処理部５１０により認識された文字または数字を媒体上に記載する。
【００５４】
端末装置２がデジタルカメラ２１０を備える場合、画像処理部３１０が第１の実施形態と同様に、デジタルカメラ２１０が撮像した画像を処理する。デジタルカメラ２１０が撮影した画像に含まれる文字または数字と、音声処理部５１０が認識した文字または数字とが一致する場合に、印刷部２３０が一致した文字または数字を媒体に記載するようにしてもよい。
【００５５】
図６は、第１及び第２の実施形態の変形の態様を示す。すなわち、第１及び第２の実施形態の変形として、マイク、デジタルカメラ及び印刷部が同一の筐体に収容されていない形態も可能である。例えば、単体のマイクあるいはヘッドセットと、手持ち、スタンド型、ウェアラブルなどのデジタルカメラと、プリンタ、制御部の機能が実装されたＰＣ（パソコン）及びディスプレイなどの汎用のコンピュータシステムとを組み合わせて、端末装置１，２と同等の機能を実現してもよい。
【００５６】
本実施形態によれば、ユーザが数字、文字等を口頭で読み上げるだけで、端末装置がその音声を取り込んで、読み上げられた数字、文字等を印刷媒体に記載することができる。
【００５７】
次に、本発明の第３の実施形態に係る端末装置について、図面を参照して説明する。
【００５８】
第３の実施形態に係る端末装置は数字形成装置であって、数字を入力するためのテンキーと、テンキーにより入力された数字を所定の媒体上に形成する数字形成手段（印刷部）と、テンキー及び数字形成手段を収容した単一の筐体と、を備えてもよい。この端末装置は、デジタルカメラと、デジタルカメラにより撮像された画像を解析して、画像から数字を検出する画像処理手段（画像処理部）と、をさらに備えてもよい。数字形成手段は、テンキーにより入力された数字と画像処理手段による認識結果とが一致したときに数字を形成するようにしてもよい。
【００５９】
図７は、本発明の第３の実施形態に係る端末装置３の外観図である。
【００６０】
図８は、本発明の第３実施形態に係る端末装置３の機能構成図である。
【００６１】
図７及び図８を参照して、第３の実施形態に係る端末装置３について説明する。第１または第２の実施形態と共通の構成及び機能については同一の符号を付して説明を省略する場合がある。
【００６２】
端末装置３は、筐体３０を有する。筐体３０の表面にはテンキー３１と表示部２７０とが設けられている。端末装置３は、さらに、デジタルカメラ２１０と、印刷部２３０と、制御部６０とを備えてもよい。
【００６３】
図７に示すように、端末装置３は卓上型であり、テンキー３１に入力された数字が表示部２７０に表示される。筐体の３０の正面３３にデジタルカメラ２１０のレンズ（図示しない）が備えられていてもよい。第１の実施形態と同様に、筐体３０内の下方に印刷部２３０が配置されている。第１の実施形態と同様に、筐体３０の底面に印刷部２３０のヘッドが露出している。
【００６４】
テンキー３１は、ユーザによるキー入力を受け付ける。入力された数字を示すデータがメモリ３３０に保存されるとともに、表示部２７０に表示されるようにしてもよい。
【００６５】
印刷部２３０は、メモリ３３０に保存されている入力された数字を示すデータに基づいて、数字を媒体上に記載する。
【００６６】
端末装置３がデジタルカメラ２１０を備える場合、デジタルカメラ２１０が撮影した画像に含まれる数字と、テンキー３１から入力された数字とが一致する場合に、印刷部２３０が一致した文字または数字を媒体に記載するようにしてもよい。
【００６７】
端末装置３がデジタルカメラ２１０を備える場合、画像処理部３１０が第１の実施形態と同様に、デジタルカメラ２１０が撮像した画像を処理する。デジタルカメラ２１０が撮影した画像に含まれる文字または数字と、音声処理部５１０が認識した文字または数字とが一致する場合に、印刷部２３０が一致した文字または数字を媒体に記載するようにしてもよい。
【００６８】
端末装置３は、片手で持ち運び可能であってもよい。例えば、ユーザが端末装置３を印刷媒体上に移動させて、テンキー入力後に、そのままの状態で印刷部２３０が印刷媒体に印刷を行うようにしてもよい。
【００６９】
本実施形態によれば、テンキー入力というオフィスワーカーにとってなじみ深い操作で所望の媒体に簡便に数字を形成できる。
【００７０】
次に、本発明の第４の実施形態にかかる数字及び／または文字列（数字のみの列、文字のみの列及び数字と文字の混合列を含む。以下、文字列等という場合がある）の確認検証システムについて、図面を参照して説明する。ここで、文字列等には、さまざまな記号あるいは絵文字などが含まれていてもよい。
【００７１】
本システムは、例えば、紙などの印刷媒体またはディスプレイなどの所定の媒体に表示された文字列等を、他の手段で取得した文字列等と比較して、両者が一致するか否かの確認検証を行う。
【００７２】
図９は、第４の実施形態にかかる文字列等の確認検証システムの構成図である。同図に示すように、本システムは、文字列等の確認検証装置本体７００を備え、デジタルカメラ７５０と、マイク７６０と、判定結果データベース７８０とが確認検証装置本体７００に接続されていてもよい。文字列等の確認検証装置本体７００は、ネットワーク９を介して個人情報管理センタ８００と接続されている。
【００７３】
文字列等の確認検証装置本体７００は、例えば、プロセッサ及びメモリを備えた汎用的な情報処理装置で構成されていてもよい。以下の実施形態において説明する文字列等の確認検証装置本体７００の各機能は、例えば、情報処理装置が所定のコンピュータプログラムを実行することにより実現されるものであってもよい。
【００７４】
図１０は、文字列等の確認検証装置本体７００の機能構成図である。文字列等の確認検証装置本体７００は、音声データ及び画像データを記憶するメモリ７０１と、画像処理部７０２と、音声処理部７０３と、照会処理部７０４と、判定部７０５とを有する。
【００７５】
本実施形態にかかる文字列等の確認検証装置本体７００は、数字及び／または文字の列が記載された媒体を撮像した画像のデータを記憶する記憶手段（メモリ）、及び音声データを記憶する記憶手段（メモリ）の少なくともいずれか一方を備えていてもよい。画像データの記憶手段は、例えば、デジタルカメラ７５０で撮影された画像のデータであって、例えば、印刷媒体などに表示されている文字列等を撮影した画像のデータが記憶されてもよい。音声データの記憶手段には、マイク７６０を通じて入力された音声であって、例えば、所定の媒体に表示されている文字列等を読み上げた音声のデータが記憶されてもよい。文字列等の確認検証装置本体７００は、さらに、画像データの記憶手段に記憶されたデータに基づいて、撮像された画像に含まれる数字及び／または文字の列を取得する画像処理部７０２を備えてもよい。文字列等の確認検証装置本体７００は、話者が発話した音声のデータに基づいて、話者が発話した数字及び／または文字の列を取得する音声処理部７０３を備えてもよい。すなわち、文字列等の確認検証装置本体７００は、画像または音声を使って、所定の媒体に表示されている文字列等を取得する。画像処理部７０２は、例えば、第１の実施形態と同様に、画像に写っている文字列等を認識してもよいし、文字列等が映っている画像の領域を切り出してもよい。音声処理部７０３は、例えば、第２の実施形態と同様に、音声認識によって文字列等を認識してもよい。
【００７６】
個人情報管理センタ８００は、複数の個人についての個人情報を管理する。例えば、個人情報管理センタ８００は、個人別に、各個人を特定する情報と、これに一意に対応付けられる文字列等との対応関係を保持してもよい。個人を特定するための情報とは、例えば、企業ＩＤと社員ＩＤとを組み合わせたものなどでよい。
【００７７】
個人情報管理センタ８００は、文字列等の確認検証装置本体７００からの後述するリスクストを受け付けると、これに応答する。すなわち、個人情報管理センタ８００は、このリクエストに含まれる個人を特定するための情報に対応付けられている文字列等を文字列等の確認検証装置本体７００へ返す。
【００７８】
文字列等の確認検証装置本体７００は、個人を特定する情報を含む検索リクエストを発行するリクエスト手段（照会処理部）と、検索リクエストに応じて、個人を特定する情報に対応する数字及び／または文字の列を取得する応答受信手段（照会処理部）とを備える。例えば、本実施形態では、オペレータの指示に従って、照会処理部７０４が個人情報管理センタ８００に対して文字列等の照会をするリクエストを送信する。このリクエストには、個人を特定するための情報が含まれる。そして、照会処理部７０４は、個人情報管理センタ８００からの応答を受信すると、その応答に含まれる文字列等を取得する。取得した文字列等は判定結果データベース７８０に保存されるようにしてもよい。
【００７９】
文字列等の確認検証装置本体７００は、画像から取得した数字及び／または文字の列と個人を特定する情報に対応する数字及び／または文字の列とが一致するか否かを判定する判定部７０５を備えていてもよい。また、文字列等の確認検証装置本体７００は、音声から取得した数字及び／または文字の列と個人を特定する情報に対応する数字及び／または文字の列とが一致するか否かを判定する判定部７０５を備えていてもよい。
【００８０】
文字列等の確認検証装置本体７００は、判定部７０５による判定結果を出力する手段をさらに備えてもよい。出力手段は、例えば、文字列等の確認検証装置本体７００が備えるディスプレイ７００ａでもよいし、プリンタでもよい。
【００８１】
判定結果データベース７８０は、画像から取得した文字列等と個人情報管理センタ８００から取得した文字列等とが一致するか否かの判定、あるいは、音声から取得した文字列等と個人情報管理センタ８００から取得した文字列等とが一致するか否かの判定の結果を蓄積する。判定結果データベース７８０は、複数人の判定結果が蓄積される。文字列等の確認検証装置本体７００は、判定結果データベース７８０に蓄積されている判定結果を所定の出力装置に対して出力してもよい。
【００８２】
デジタルカメラ７５０は画像を撮像する手段であればよく、他の撮像手段（例えばスキャナ）に置換可能である。デジタルカメラ７５０は、単体カメラであってもよいし、スマートフォンなど他の装置の内蔵カメラでもよいし、ウェアラブルカメラなど他のものと一体化したものであってもよい。
【００８３】
図１１は、文字列等の確認検証システムが行う処理手順を示すフローチャートである。
【００８４】
まず、文字列等の確認検証装置本体７００は、画像処理（Ｓ１０）、音声処理（Ｓ２０）及び文字列照会処理（Ｓ３０）を行う。
【００８５】
＜画像処理（Ｓ１０）＞
文字列等の確認検証装置本体７００がデジタルカメラ７５０で撮影された画像の画像データを取得する（Ｓ１０１）。デジタルカメラ７５０から取得する以外の方法で画像データを取得してもよい。画像データはメモリ７０１に保存されてもよい。画像処理部７０２は画像データに基づいて所定の画像処理を行い、画像に含まれている文字列等を検出する（Ｓ１０３）。
【００８６】
＜音声処理（Ｓ２０）＞
文字列等の確認検証装置本体７００はマイク７６０が集めた音声の音声データを取得する（Ｓ２０１）。マイク７６０から取得する以外の方法で音声データを取得してもよい。音声データはメモリ７０１に保存されてもよい。音声処理部７０３は音声データに基づいて所定の音声処理を行い、音声中で発話されている文字列等を認識する（Ｓ２０３）。
【００８７】
＜文字列照会処理（Ｓ３０）＞
文字列等の確認検証装置本体７００は、オペレータから入力された個人を特定するための情報を取得する（Ｓ３０１）。照会処理部７０４は、入力された個人を特定するための情報を含むリクエストを個人情報管理センタ８００に対して発行する（３０３）。照会処理部７０４は、上記のリクエストに対する個人情報管理センタ８００の応答を取得する（Ｓ３０５）。
【００８８】
画像処理（Ｓ１０）、音声処理（Ｓ２０）及び文字列照会処理（Ｓ３０）の３つの処理は、どの処理が先に実行されてもよい。また、画像処理（Ｓ１０）及び音声処理（Ｓ２０）は、いずれか一方のみが実行されてもよい。
【００８９】
また、判定部７０５は、画像処理（Ｓ１０）及び音声処理（Ｓ２０）の少なくともいずれか一方と、文字列照会処理（Ｓ３０）が実行された後、文字列照会処理（Ｓ３０）で取得した文字列等と画像処理（Ｓ１０）で取得した文字列等、及び／または文字列照会処理（Ｓ３０）で取得した文字列等と音声処理（Ｓ２０）で取得した文字列等が一致するか否かを判定する（Ｓ４０）。この判定結果が判定結果データベース７８０に保存され（Ｓ５０）、ディスプレイ７００ａに表示されるようにしてもよい（Ｓ６０）。
【００９０】
本実施形態によれば、検証作業を効率的かつ精度良く行うことができる。
【００９１】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【符号の説明】
【００９２】
１−４  端末装置
１０、２０、３０  筐体
２１０  デジタルカメラ
２３０  印刷部
２５０  ボタン
２７０  表示部
３００  制御部
３１０  画像処理部
３３０  メモリ
７００  確認検証装置本体
７５０  デジタルカメラ
７６０  マイク
７８０  判定結果データベース
８００  個人情報管理センタ
【図１】
2017091034.tif 000003
【図２】
2017091034.tif 000004
【図３】
2017091034.tif 000005
【図４】
2017091034.tif 000006
【図５】
2017091034.tif 000007
【図６】
2017091034.tif 000008
【図７】
2017091034.tif 000009
【図８】
2017091034.tif 000010
【図９】
2017091034.tif 000011
【図１０】
2017091034.tif 000012
【図１１】
2017091034.tif 000013